【手続補正書】
【提出日】平成20年3月26日(2008.3.26)
【手続補正１】
【補正対象書類名】明細書
【補正対象項目名】発明の名称
【補正方法】変更
【補正の内容】
【発明の名称】ＯＦＤＭ受信装置及び妨害検出方法
【手続補正２】
【補正対象書類名】明細書
【補正対象項目名】０００１
【補正方法】変更
【補正の内容】
【０００１】
【発明の属する技術分野】
本発明は、直交周波数分割多重（以下、ＯＦＤＭ（Orthogonal Frequency Division Multiplex））伝送方式の受信装置に関し、特に受信信号に周波数選択性の妨害（同一チャンネル妨害、マルチパス、スプリアスなど）を含む様々な妨害が存在し、その影響により復調性能が悪化する場合の改善技術を含むＯＦＤＭ受信装置及び妨害検出方法に関するものである。
【手続補正３】
【補正対象書類名】明細書
【補正対象項目名】特許請求の範囲
【補正方法】変更
【補正の内容】
【特許請求の範囲】
【請求項１】  伝送帯域内に互いに直交する周波数で発生される複数のキャリアが夫々に割り当てられた情報信号で変調され、かつ前記情報信号により変調された複数のキャリアに対して既知のパイロット信号が周期的に挿入された直交周波数分割多重（以下、ＯＦＤＭ）伝送信号を受信するＯＦＤＭ受信装置であって、
前記ＯＦＤＭ伝送信号を直交検波する直交検波手段と、
前記直交検波手段で得られた出力信号を高速フーリエ変換（以下、ＦＦＴ）により時間領域から周波数領域の信号に変換するＦＦＴ手段と、
前記ＦＦＴ手段により得られた出力信号からパイロット信号を抽出し、前記パイロット信号及び既知の基準パイロット信号から前記パイロット信号の伝送路特性を推定し、前記パイロット信号の伝送路特性を内部に設けた第１のメモリ手段に蓄積し、前記パイロット信号の伝送路特性を時間軸方向に補間し、更に周波数軸方向に補間して伝送帯域内の全てのキャリアの伝送路特性を推定し、前記キャリアの伝送路特性を用いて前記ＦＦＴ手段により得られた出力信号を等化し、復調信号として出力する復調手段と、
前記復調手段により得られたパイロット信号の伝送路特性、及び前記復調手段内の前記第１のメモリ手段に蓄積された一周期前のパイロット信号の伝送路特性から、パイロット信号の伝送路特性の時間変動量を表す誤差信号を算出し、前記誤差信号を基に周波数選択性の妨害を検出し、妨害レベルとして出力する妨害検出手段と、
前記復調手段により得られた復調信号を軟判定情報信号に変換し、前記妨害検出手段により得られた妨害レベルを用いて前記軟判定情報信号を補正し、補正された軟判定情報信号に対し誤り訂正復号を行なう誤り訂正手段と、を具備することを特徴とするＯＦＤＭ受信装置。
【請求項２】  伝送帯域内に互いに直交する周波数で発生される複数のキャリアが夫々に割り当てられた所定数のビットデータからなる情報信号により多値変調され、かつ前記情報信号により変調された複数のキャリアに対して既知のパイロット信号が周期的に挿入されたＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号からパイロット信号を抽出し、前記パイロット信号及び既知の基準パイロット信号から前記パイロット信号の伝送路特性を推定し、前記パイロット信号の伝送路特性を内部に設けた第１のメモリ手段に蓄積し、前記パイロット信号の伝送路特性を時間軸方向に補間し、更に周波数軸方向に補間して伝送帯域内の全てのキャリアの伝送路特性を推定し、前記キャリアの伝送路特性を用いて前記ＦＦＴ手段により得られた出力信号を等化し、復調信号として出力する復調手段と、
前記復調手段により得られたパイロット信号の伝送路特性、及び前記復調手段内の前記第１のメモリ手段に蓄積された一周期前のパイロット信号の伝送路特性から、パイロット信号の伝送路特性の時間変動量を表す誤差信号を算出し、前記誤差信号を基に周波数選択性の妨害を検出し、妨害レベルとして出力する妨害検出手段と、
前記復調手段により得られた復調信号を、キャリア変調方式に応じた所定数の軟判定ビットデータからなる軟判定情報信号に変換し、前記軟判定情報信号の夫々の軟判定ビットデータごとに前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項３】  伝送帯域内に互いに直交する周波数で発生される複数のキャリアが夫々に割り当てられた所定数のビットデータからなる情報信号により多値変調され、かつ前記情報信号が伝送誤りに対する耐性の異なるビットデータを含み、かつ前記情報信号により変調された複数のキャリアに対して既知のパイロット信号が周期的に挿入されたＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号からパイロット信号を抽出し、前記パイロット信号及び既知の基準パイロット信号から前記パイロット信号の伝送路特性を推定し、前記パイロット信号の伝送路特性を内部に設けた第１のメモリ手段に蓄積し、前記パイロット信号の伝送路特性を時間軸方向に補間し、更に周波数軸方向に補間して伝送帯域内の全てのキャリアの伝送路特性を推定し、前記キャリアの伝送路特性を用いて前記ＦＦＴ手段により得られた出力信号を等化し、復調信号として出力する復調手段と、
前記復調手段により得られたパイロット信号の伝送路特性、及び前記復調手段内の前記第１のメモリ手段に蓄積された一周期前のパイロット信号の伝送路特性からパイロット信号の伝送路特性の時間変動量を表す誤差信号を算出し、前記誤差信号を基に周波数選択性の妨害を検出し、妨害レベルとして出力する妨害検出手段と、
前記復調手段により得られた復調信号をキャリア変調方式に応じた所定数の軟判定ビットデータからなる軟判定情報信号に変換し、前記軟判定情報信号の夫々の軟判定ビットデータごとに、その軟判定ビットデータの伝送誤りに対する耐性が小さい場合には妨害レベルを大きくし、その軟判定ビットデータの伝送誤りに対する耐性が大きい場合には妨害レベルを小さくするように、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項４】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段を用いて時間軸方向に平均し、平均された誤差信号を前記第２のメモリ手段に蓄積し、前記平均された誤差信号を時間軸方向に補間し、平均かつ補間された誤差信号から周波数選択性の妨害を表す妨害レベルを算出し、前記妨害レベルを周波数軸方向に補間して出力することを特徴とする請求項１〜３のいずれか１項記載のＯＦＤＭ受信装置。
【請求項５】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段に蓄積し、前記誤差信号を時間軸方向に補間し、補間された誤差信号から周波数選択性の妨害を表す妨害レベルを算出し、前記妨害レベルを周波数軸方向に補間して出力することを特徴とする請求項１〜３のいずれか１項記載のＯＦＤＭ受信装置。
【請求項６】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号から周波数選択性の妨害を表す妨害レベルを算出し、前記妨害レベルを内部に設けた第２のメモリ手段を用いて時間軸方向に平均し、平均された妨害レベルを前記第２のメモリ手段に蓄積し、前記平均された妨害レベルを時間軸方向に補間し、更に周波数軸方向に補間して出力することを特徴とする請求項１〜３のいずれか１項記載のＯＦＤＭ受信装置。
【請求項７】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号から周波数選択性の妨害を表す妨害レベルを算出し、前記妨害レベルを内部に設けた第２のメモリ手段に蓄積し、前記妨害レベルを時間軸方向に補間し、更に周波数軸方向に補間して出力することを特徴とする請求項１〜３のいずれか１項記載のＯＦＤＭ受信装置。
【請求項８】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段を用いて時間軸方向に平均し、平均された誤差信号を前記第２のメモリ手段に蓄積し、前記平均された誤差信号を時間軸方向に補間し、更に周波数軸方向に補間し、平均かつ補間された誤差信号から周波数選択性の妨害を表す妨害レベルを算出することを特徴とする請求項１〜３のいずれか１項記載のＯＦＤＭ受信装置。
【請求項９】  前記妨害検出手段は、
前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段に蓄積し、前記誤差信号を時間軸方向に補間し、更に周波数軸方向に補間し、補間された誤差信号から周波数選択性の妨害を表す妨害レベルを算出することを特徴とする請求項１〜３のいずれか１項記載のＯＦＤＭ受信装置。
【請求項１０】  伝送帯域内に互いに直交する周波数で発生される複数のキャリアが夫々に割り当てられた所定数のビットデータからなる情報信号により多値変調されたＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号を復調する復調手段と、
前記ＦＦＴ手段により得られた出力信号から受信信号の周波数選択性の妨害を検出し、妨害レベルとして出力する妨害検出手段と、
前記復調手段により得られた復調信号をキャリア変調方式に応じた所定数の軟判定ビットデータからなる軟判定情報信号に変換し、前記軟判定情報信号の夫々の軟判定ビットデータごとに、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項１１】  伝送帯域内に互いに直交する周波数で発生される複数のキャリアが夫々に割り当てられた所定数のビットデータからなる情報信号により多値変調され、かつ前記情報信号が伝送誤りに対する耐性の異なるビットデータを含むＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号を復調する復調手段と、
前記ＦＦＴ手段により得られた出力信号から受信信号の周波数選択性の妨害を検出し、妨害レベルとして出力する妨害検出手段と、
前記復調手段により得られた復調信号をキャリア変調方式に応じた所定数の軟判定ビットデータからなる軟判定情報信号に変換し、前記軟判定情報信号の夫々の軟判定ビットデータごとに、前記軟判定ビットデータの伝送誤りに対する耐性が小さい場合には妨害レベルを大きくし、その軟判定ビットデータの伝送誤りに対する耐性が大きい場合には妨害レベルを小さくするように、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項１２】  伝送帯域内に互いに直交する周波数で発生される複数のキャリアが夫々に割り当てられた所定数のビットデータからなる情報信号により多値変調されたＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号を復調する復調手段と、
前記復調手段により得られた復調信号から受信信号の周波数選択性の妨害を検出し、妨害レベルとして出力する妨害検出手段と、
前記復調手段により得られた復調信号をキャリア変調方式に応じた所定数の軟判定ビットデータからなる軟判定情報信号に変換し、前記軟判定情報信号の夫々の軟判定ビットデータごとに、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項１３】  伝送帯域内に互いに直交する周波数で発生される複数のキャリアが夫々に割り当てられた所定数のビットデータからなる情報信号により多値変調され、かつ前記情報信号が伝送誤りに対する耐性の異なるビットデータを含むＯＦＤＭ伝送信号を受信するＯＦＤＭ受信装置であって、
前記ＯＦＤＭ伝送信号を直交検波する直交検波手段と、
前記直交検波手段で得られた出力信号を、ＦＦＴにより時間領域から周波数領域の信号に変換するＦＦＴ手段と、
前記ＦＦＴ手段により得られた出力信号を復調する復調手段と、
前記復調手段により得られた復調信号から受信信号の周波数選択性の妨害を検出し、妨害レベルとして出力する妨害検出手段と、
前記復調手段により得られた復調信号をキャリア変調方式に応じた所定数の軟判定ビットデータからなる軟判定情報信号に変換し、前記軟判定情報信号の夫々の軟判定ビットデータごとに、その軟判定ビットデータの伝送誤りに対する耐性が小さい場合には妨害レベルを大きくし、その軟判定ビットデータの伝送誤りに対する耐性が大きい場合には妨害レベルを小さくするように、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするＯＦＤＭ受信装置。
【請求項１４】  伝送帯域内に互いに直交する周波数で発生される複数のキャリアが夫々に割り当てられた情報信号で変調され、かつ前記情報信号により変調された複数のキャリアに対して既知のパイロット信号が周期的に挿入されたＯＦＤＭ伝送信号を受信して周波数選択性の妨害を検出する方法であって、
前記ＯＦＤＭ伝送信号をＦＦＴ処理して時間領域から周波数領域の信号に変換し、
前記ＦＦＴ処理された信号からパイロット信号を抽出し、前記パイロット信号及び既知の基準パイロット信号から前記パイロット信号の伝送路特性を推定し、
前記推定されたパイロット信号の伝送路特性の時間変動量に基づいて、周波数選択性の妨害を検出することを特徴とする妨害検出方法。
【請求項１５】  伝送帯域内に互いに直交する周波数で発生される複数のキャリアが夫々に割り当てられた情報信号で変調され、かつ前記情報信号により変調された複数のキャリアに対して既知のパイロット信号が周期的に挿入されたＯＦＤＭ伝送信号を受信して周波数選択性の妨害を検出する方法であって、
前記ＯＦＤＭ伝送信号をＦＦＴ処理して時間領域から周波数領域の信号に変換し、
前記ＦＦＴ処理された信号からパイロット信号を抽出し、前記パイロット信号及び既知の基準パイロット信号から前記パイロット信号の伝送路特性を推定し、
前記推定されたパイロット信号の伝送路特性をパイロット信号の挿入される周期分保持し、
前記パイロット信号の伝送路特性、及び前記保持された一周期前のパイロット信号の伝送路特性から、パイロット信号の伝送路特性の時間変動量を算出し、
前記時間変動量に基づいて、周波数選択性の妨害を検出することを特徴とする妨害検出方法。
【手続補正４】
【補正対象書類名】明細書
【補正対象項目名】００２７
【補正方法】変更
【補正の内容】
【００２７】
本願の請求項４の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段を用いて時間軸方向に平均し、平均された誤差信号を前記第２のメモリ手段に蓄積しながら時間軸方向に補間し、平均かつ補間された誤差信号から周波数選択性の妨害を表す妨害レベルを算出し、前記妨害レベルを周波数軸方向に補間して出力することを特徴とするものである。
本願の請求項５の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段に蓄積しながら時間軸方向に補間し、補間された誤差信号から周波数選択性の妨害を表す妨害レベルを算出し、前記妨害レベルを周波数軸方向に補間して出力することを特徴とするものである。
【手続補正５】
【補正対象書類名】明細書
【補正対象項目名】００２８
【補正方法】変更
【補正の内容】
【００２８】
本願の請求項６の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号から周波数選択性の妨害を表す妨害レベルを算出し、前記妨害レベルを内部に設けた第２のメモリ手段を用いて時間軸方向に平均し、平均された妨害レベルを前記第２のメモリ手段に蓄積しながら時間軸方向に補間し、更に周波数軸方向に補間して出力することを特徴とするものである。
本願の請求項７の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号から周波数選択性の妨害を表す妨害レベルを算出し、前記妨害レベルを内部に設けた第２のメモリ手段に蓄積しながら時間軸方向に補間し、更に周波数軸方向に補間して出力することを特徴とするものである。
【手続補正６】
【補正対象書類名】明細書
【補正対象項目名】００２９
【補正方法】変更
【補正の内容】
【００２９】
本願の請求項８の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段を用いて時間軸方向に平均し、平均された誤差信号を前記第２のメモリ手段に蓄積しながら時間軸方向に補間し、更に周波数軸方向に補間し、平均かつ補間された誤差信号から周波数選択性の妨害を表す妨害レベルを算出することを特徴とするものである。
【手続補正７】
【補正対象書類名】明細書
【補正対象項目名】００３０
【補正方法】変更
【補正の内容】
【００３０】
本願の請求項９の発明は、請求項１〜３のいずれか１項のＯＦＤＭ受信装置において、前記妨害検出手段は、前記復調手段により得られたパイロット信号の伝送路特性と、前記復調手段内の前記第１のメモリ手段に蓄積された一周期前のパイロット信号の伝送路特性と、からパイロット信号の伝送路特性の時間変動量を表す誤差信号を算出し、前記誤差信号を内部に設けた第２のメモリ手段に蓄積しながら時間軸方向に補間し、更に周波数軸方向に補間し、補間された誤差信号から周波数選択性の妨害を表す妨害レベルを算出することを特徴とするものである。
【手続補正８】
【補正対象書類名】明細書
【補正対象項目名】００３１
【補正方法】変更
【補正の内容】
【００３１】
本願の請求項１０の発明は、伝送帯域内に互いに直交する周波数で発生される複数のキャリアが夫々に割り当てられた所定数のビットデータからなる情報信号により多値変調されたＯＦＤＭ伝送信号を受信するＯＦＤＭ受信装置であって、前記ＯＦＤＭ伝送信号を直交検波する直交検波手段と、前記直交検波手段で得られた出力信号を、ＦＦＴにより時間領域から周波数領域の信号に変換するＦＦＴ手段と、前記ＦＦＴ手段により得られた出力信号を復調する復調手段と、前記ＦＦＴ手段により得られた出力信号から受信信号の周波数選択性の妨害を検出し、妨害レベルとして出力する妨害検出手段と、前記復調手段により得られた復調信号をキャリア変調方式に応じた所定数の軟判定ビットデータからなる軟判定情報信号に変換し、前記軟判定情報信号の夫々の軟判定ビットデータごとに、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするものである。
【手続補正９】
【補正対象書類名】明細書
【補正対象項目名】００３２
【補正方法】変更
【補正の内容】
【００３２】
本願の請求項１１の発明は、伝送帯域内に互いに直交する周波数で発生される複数のキャリアが夫々に割り当てられた所定数のビットデータからなる情報信号により多値変調され、かつ前記情報信号が伝送誤りに対する耐性の異なるビットデータを含むＯＦＤＭ伝送信号を受信するＯＦＤＭ受信装置であって、前記ＯＦＤＭ伝送信号を直交検波する直交検波手段と、前記直交検波手段で得られた出力信号を、ＦＦＴにより時間領域から周波数領域の信号に変換するＦＦＴ手段と、前記ＦＦＴ手段により得られた出力信号を復調する復調手段と、前記ＦＦＴ手段により得られた出力信号から受信信号の周波数選択性の妨害を検出し、妨害レベルとして出力する妨害検出手段と、前記復調手段により得られた復調信号をキャリア変調方式に応じた所定数の軟判定ビットデータからなる軟判定情報信号に変換し、前記軟判定情報信号の夫々の軟判定ビットデータごとに、前記軟判定ビットデータの伝送誤りに対する耐性が小さい場合には妨害レベルを大きくし、その軟判定ビットデータの伝送誤りに対する耐性が大きい場合には妨害レベルを小さくするように、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするものである。
【手続補正１０】
【補正対象書類名】明細書
【補正対象項目名】００３３
【補正方法】変更
【補正の内容】
【００３３】
本願の請求項１２の発明は、伝送帯域内に互いに直交する周波数で発生される複数のキャリアが夫々に割り当てられた所定数のビットデータからなる情報信号により多値変調されたＯＦＤＭ伝送信号を受信するＯＦＤＭ受信装置であって、前記ＯＦＤＭ伝送信号を直交検波する直交検波手段と、前記直交検波手段で得られた出力信号を、ＦＦＴにより時間領域から周波数領域の信号に変換するＦＦＴ手段と、前記ＦＦＴ手段により得られた出力信号を復調する復調手段と、前記復調手段により得られた復調信号から受信信号の周波数選択性の妨害を検出し、妨害レベルとして出力する妨害検出手段と、前記復調手段により得られた復調信号をキャリア変調方式に応じた所定数の軟判定ビットデータからなる軟判定情報信号に変換し、前記軟判定情報信号の夫々の軟判定ビットデータごとに、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするものである。
【手続補正１１】
【補正対象書類名】明細書
【補正対象項目名】００３４
【補正方法】変更
【補正の内容】
【００３４】
本願の請求項１３の発明は、伝送帯域内に互いに直交する周波数で発生される複数のキャリアが夫々に割り当てられた所定数のビットデータからなる情報信号により多値変調され、かつ前記情報信号が伝送誤りに対する耐性の異なるビットデータを含むＯＦＤＭ伝送信号を受信するＯＦＤＭ受信装置であって、前記ＯＦＤＭ伝送信号を直交検波する直交検波手段と、前記直交検波手段で得られた出力信号を、ＦＦＴにより時間領域から周波数領域の信号に変換するＦＦＴ手段と、前記ＦＦＴ手段により得られた出力信号を復調する復調手段と、前記復調手段により得られた復調信号から受信信号の周波数選択性の妨害を検出し、妨害レベルとして出力する妨害検出手段と、前記復調手段により得られた復調信号をキャリア変調方式に応じた所定数の軟判定ビットデータからなる軟判定情報信号に変換し、前記軟判定情報信号の夫々の軟判定ビットデータごとに、その軟判定ビットデータの伝送誤りに対する耐性が小さい場合には妨害レベルを大きくし、その軟判定ビットデータの伝送誤りに対する耐性が大きい場合には妨害レベルを小さくするように、前記妨害検出手段により得られた妨害レベルを補正し、補正された妨害レベルを用いて前記軟判定ビットデータを補正し、補正された軟判定ビットデータに対し誤り訂正復号を行なう誤り訂正手段と、を具備することを特徴とするものである。
【手続補正１２】
【補正対象書類名】明細書
【補正対象項目名】００３５
【補正方法】変更
【補正の内容】
【００３５】
本願請求項１４の発明は、伝送帯域内に互いに直交する周波数で発生される複数のキャリアが夫々に割り当てられた情報信号で変調され、かつ前記情報信号により変調された複数のキャリアに対して既知のパイロット信号が周期的に挿入されたＯＦＤＭ伝送信号を受信して周波数選択性の妨害を検出する方法であって、前記ＯＦＤＭ伝送信号をＦＦＴ処理して時間領域から周波数領域の信号に変換し、前記ＦＦＴ処理された信号からパイロット信号を抽出し、前記パイロット信号及び既知の基準パイロット信号から前記パイロット信号の伝送路特性を推定し、前記推定されたパイロット信号の伝送路特性の時間変動量に基づいて、周波数選択性の妨害を検出することを特徴とするものである。
【手続補正１３】
【補正対象書類名】明細書
【補正対象項目名】００３６
【補正方法】変更
【補正の内容】
【００３６】
本願請求項１５の発明は、伝送帯域内に互いに直交する周波数で発生される複数のキャリアが夫々に割り当てられた情報信号で変調され、かつ前記情報信号により変調された複数のキャリアに対して既知のパイロット信号が周期的に挿入されたＯＦＤＭ伝送信号を受信して周波数選択性の妨害を検出する方法であって、前記ＯＦＤＭ伝送信号をＦＦＴ処理して時間領域から周波数領域の信号に変換し、前記ＦＦＴ処理された信号からパイロット信号を抽出し、前記パイロット信号及び既知の基準パイロット信号から前記パイロット信号の伝送路特性を推定し、前記推定されたパイロット信号の伝送路特性をパイロット信号の挿入される周期分保持し、前記パイロット信号の伝送路特性、及び前記保持された一周期前のパイロット信号の伝送路特性から、パイロット信号の伝送路特性の時間変動量を算出し、前記時間変動量に基づいて、周波数選択性の妨害を検出することを特徴とするものである。